(57)【特許請求の範囲】
【請求項１】
前後方向に長尺の上壁、及び前記上壁の左右両端から下方に延設されるとともに前後方向に長尺の一対の側壁をそれぞれ備えて下方を開放させた内部空間をそれぞれ形成し、横方向の幅の狭い幅狭部と横方向の幅の広い幅広部をそれぞれ有する複数の白鍵を備えた鍵盤であって、
前記複数の白鍵において、前記幅狭部の幅方向の中心線の左側部分の重量と、前記中心線の右側部分の重量とがそれぞれ一致又はほぼ一致するように、
前記複数の白鍵において、前記中心線の左右両側のうちの一方側に位置する上壁の一部又は全部の厚さを、他方側に位置する上壁の厚さよりもそれぞれ大きくし、又は
前記複数の白鍵において、前記中心線の左右両側のうちの一方側に位置する側壁の一部又は全部の厚さを、他方側に位置する側壁の厚さよりもそれぞれ大きくして、
前記複数の白鍵における前記中心線に対する左右の荷重バランスをそれぞれ調整するようにしたことを特徴とする鍵盤。
【請求項２】
前記複数の白鍵における前記幅広部において、前記一方側に位置する上壁の一部又は全部の厚さを、前記他方側に位置する上壁の厚さよりもそれぞれ大きくし、又は
前記複数の白鍵における前記幅広部において、前記一方側に位置する側壁の一部又は全部の厚さを、前記他方側に位置する側壁の厚さよりもそれぞれ大きくしたことを特徴とする請求項１に記載した鍵盤。
【請求項３】
前後方向に長尺の上壁、及び前記上壁の左右両端から下方に延設されるとともに前後方向に長尺の一対の側壁をそれぞれ備えて下方を開放させた内部空間をそれぞれ形成し、横方向の幅の狭い幅狭部と横方向の幅の広い幅広部をそれぞれ有する複数の白鍵を備えた鍵盤であって、
前記複数の白鍵において、前記幅狭部の幅方向の中心線の左側部分の重量と、前記中心線の右側部分の重量とがそれぞれ一致又はほぼ一致するように、
前記複数の白鍵において、前記中心線の左右両側のうちの一方側に位置する上壁の内側面の一部又は全部に錘をそれぞれ固定し、又は
前記複数の白鍵において、前記中心線の左右両側のうちの一方側に位置する側壁の内側面の一部又は全部に錘をそれぞれ固定して、
前記複数の白鍵における前記中心線に対する左右の荷重バランスをそれぞれ調整するようにしたことを特徴とする鍵盤。
【請求項４】
前記複数の白鍵における前記幅広部において、前記一方側に位置する上壁の内側面の一部又は全部に錘をそれぞれ固定し、又は
前記複数の白鍵における前記幅広部において、前記一方側に位置する側壁の内側面の一部又は全部に錘をそれぞれ固定したことを特徴とする請求項３に記載した鍵盤。
【発明の詳細な説明】
【技術分野】
【０００１】
本発明は、複数の白鍵を備えた鍵盤に関する。
【背景技術】
【０００２】
従来から、例えば下記特許文献１に示されているように、前後方向に長尺の上壁、及び上壁の左右両端から下方に延設されるとともに前後方向に長尺の一対の側壁を備えて、下方を開放させた内部空間を形成した白鍵及び黒鍵を樹脂により一体成型することは一般的である。この場合、上壁及び側壁は、全て同一の厚さである。
【０００３】
また、下記特許文献２には、前後方向に長尺の上壁、及び上壁の左右両端から下方に延設されるとともに前後方向に長尺の一対の側壁を備えていて、下方を開放させた内部空間を形成した横方向の幅の狭い幅狭部と、内部空間を有さないで横方向に幅の広い幅広部とを有する白鍵を、樹脂に一体成型することもが示されている。この白鍵においては、一方の側壁の幅狭部の中間部に成型用のゲートを設け、幅狭部において、ゲートと反対側の側壁の厚さをゲート側の側壁の厚さよりも大きくしている。そして、ゲートから注入される高温溶融状態の樹脂材料が先に冷却されるゲートと反対側の側壁の樹脂量を、前記樹脂材料が後から冷却されるゲート側の側壁の樹脂量よりも多くして、両側壁の冷却凝固時間を同一にするようにしている。これにより、樹脂成型された白鍵にそりが生じないようにしている。
【先行技術文献】
【特許文献】
【０００４】
【特許文献１】特開２００７−１３９８８５号公報
【特許文献２】実開平６−６０８８７号公報
【発明の概要】
【０００５】
上記特許文献１に示された一般的な白鍵及び黒鍵においては、次のような問題がある。白鍵は、隣合う白鍵の間に黒鍵が設けられているので、横方向の幅の狭い幅狭部と横方向の幅の広い幅広部を備え、幅狭部の後端部にて鍵フレームに支持されている。そして、幅狭部の幅方向の中心線の左右両側部分は対称な形状ではなく、左右両側部分の一方側の部分は他方側の部分に比べて上壁の上面部分の面積が広くなっており、左右両側部分の重量が異なる。特に、Ｃ，Ｅ，Ｆ，Ｂ音に対応した白鍵においては、一方側の側壁は前後方向に直線で延びているが、他方側の側壁には段部が形成されている。このために、この種の白鍵においては、中心線に対する左右の荷重バランスが一致しておらず、押離鍵操作された際に振動して、鍵フレーム側に設けられて白鍵の押離鍵操作をガイドする鍵ガイド部材、隣接する他の白鍵又は黒鍵などに接触したり、衝突したりするために、雑音が発生する。  
【０００６】
また、引用文献２に示された白鍵は、幅狭部において、ゲートと反対側の側壁の厚さと、ゲート側の側壁の厚さとを異ならせている。しかし、これは、左右両側部分の冷却凝固時間を同一にして白鍵のそりを防止するためであり、ゲートを一対の側壁のどちらに設けるかにより、幅狭部の幅方向の中心線の左右両側部分の重量差を小さくすることもあるし、逆に大きくすることもある。前記左右両側部分の重量差が大きくなる場合には、前述した押離鍵操作時における白鍵の振動が前述した場合よりも大きくなり、鍵ガイド部材、隣接した他の白鍵及び黒鍵への衝突又は接触による、さらに大きな雑音が発生されることになる。
【０００７】
本発明は、前記問題に対処するためになされたもので、その目的は、押離鍵操作時の振動が抑制される複数の白鍵を備えた鍵盤を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
第１の発明は、前後方向に長尺の上壁（１４）、及び上壁の左右両端から下方に延設されるとともに前後方向に長尺の一対の側壁（１５，１６）をそれぞれ備えて下方を開放させた内部空間をそれぞれ形成し、横方向の幅の狭い幅狭部（１１）と横方向の幅の広い幅広部（１２）をそれぞれ有する複数の白鍵（１０）を備えた鍵盤であって、複数の白鍵において、幅狭部の幅方向の中心線（Ｌｃ）の左側部分の重量と、前記中心線の右側部分の重量とがそれぞれ一致又はほぼ一致するように、複数の白鍵において、前記中心線の左右両側のうちの一方側に位置する上壁の一部又は全部の厚さを、他方側に位置する上壁の厚さよりもそれぞれ大きくし、又は複数の白鍵において、前記中心線の左右両側のうちの一方側に位置する側壁の一部又は全部の厚さを、他方側に位置する側壁の厚さよりもそれぞれ大きくして、複数の白鍵における前記中心線に対する左右の荷重バランスをそれぞれ調整するようにしたことにある。
【０００９】
前記のように構成した第１の発明においては、複数の白鍵において、幅狭部の幅方向の中心線の左側部分の重量と、前記中心線の右側部分の重量とがそれぞれ一致又はほぼ一致するように、複数の白鍵において、前記中心線の左右両側のうちの一方側に位置する上壁の一部又は全部の厚さを、他方側に位置する上壁の厚さよりもそれぞれ大きくし、又は複数の白鍵において、前記中心線の左右両側のうちの一方側に位置する側壁の一部又は全部の厚さを、他方側に位置する側壁の厚さよりもそれぞれ大きくして、複数の白鍵における前記中心線に対する左右の荷重バランスをそれぞれ調整するようにしたので、押離鍵操作された際に、白鍵が振動することが抑制される。その結果、第１の発明によれば、白鍵の押離鍵操作時に、白鍵は、鍵ガイド部材、隣接した他の白鍵及び黒鍵などへの接触及び衝突が抑制され、雑音が発生しなくなる。
【００１０】
また、前記第１の発明においては、複数の白鍵における幅広部において、前記一方側に位置する上壁の一部又は全部の厚さを、前記他方側に位置する上壁の厚さよりもそれぞれ大きくし、又は複数の白鍵における幅広部において、前記一方側に位置する側壁の一部又は全部の厚さを、前記他方側に位置する側壁の厚さよりもそれぞれ大きくするとよい。白鍵においては、幅狭部の後端部の支点位置から離れた位置において、幅狭部の幅方向の中心線の左右両側部分の重量に差があるほど、押離鍵操作時における振動が起こり易く、また白鍵に捩れが発生し易い。したがって、前記のように、白鍵の幅広部において、上壁又は側壁の厚さ調整により、複数の白鍵における前記中心線に対する左右の荷重バランスをそれぞれ調整することにより、白鍵の振動がさらに抑えられるようになるとともに、白鍵の捩れも抑制される。
【００１１】
また、第２の発明は、前後方向に長尺の上壁（１４）、及び上壁の左右両端から下方に延設されるとともに前後方向に長尺の一対の側壁（１５，１６）をそれぞれ備えて下方を開放させた内部空間をそれぞれ形成し、横方向の幅の狭い幅狭部（１１）と横方向の幅の広い幅広部（１２）をそれぞれ有する複数の白鍵（１０）を備えた鍵盤であって、複数の白鍵において、幅狭部の幅方向の中心線（Ｌｃ）の左側部分の重量と、前記中心線の右側部分の重量とがそれぞれ一致又はほぼ一致するように、複数の白鍵において、前記中心線の左右両側のうちの一方側に位置する上壁の内側面（１４ａ）の一部又は全部に錘（３１〜３３）をそれぞれ固定し、又は複数の白鍵において、前記中心線の左右両側のうちの一方側に位置する側壁の内側面（１５ｂ）の一部又は全部に錘（３４〜３６）をそれぞれ固定して、複数の白鍵における前記中心線に対する左右の荷重バランスをそれぞれ調整するようにしたことにある。
前記のように構成した第２の発明においては、複数の白鍵において、幅狭部の幅方向の中心線の左側部分の重量と、前記中心線の右側部分の重量とがそれぞれ一致又はほぼ一致するように、複数の白鍵において、前記中心線の左右両側のうちの一方側に位置する上壁の内側面の一部又は全部に錘をそれぞれ固定し、又は複数の白鍵において、前記中心線の左右両側のうちの一方側に位置する側壁の内側面の一部又は全部に錘をそれぞれ固定して、複数の白鍵における前記中心線に対する左右の荷重バランスをそれぞれ調整するようにしたので、押離鍵操作された際に、白鍵が振動することが抑制される。その結果、この第２の発明においても、前記第１の発明と同様に、白鍵の押離鍵操作時に、白鍵は、鍵ガイド部材、隣接した他の白鍵及び黒鍵などへの接触及び衝突が抑制され、雑音が発生しなくなる。
【００１２】
また、この第２の発明においても、複数の白鍵における幅広部において、前記一方側に位置する上壁の内側面の一部又は全部に錘をそれぞれ固定し、又は複数の白鍵における幅広部において、前記一方側に位置する側壁の内側面の一部又は全部に錘をそれぞれ固定するとよい。この場合も、白鍵の幅広部に錘を固定して複数の白鍵における前記中心線に対する左右の荷重バランスをそれぞれ調整するようにしたので、白鍵の振動がさらに抑えられるようになるとともに、白鍵の捩れも抑制される。
【図面の簡単な説明】
【００１３】
【図１】鍵盤楽器における鍵盤の構成例を示す平面図である。
【図２】（Ａ）は第１実施形態に係る白鍵の平面図であり、（Ｂ）は（Ａ）のｂ−ｂ線に沿って見た前記白鍵の端面図であり、（Ｃ）は（Ａ）のｃ−ｃ線に沿って見た前記白鍵の端面図である。
【図３】（Ａ）は第２実施形態に係る白鍵の平面図であり、（Ｂ）は（Ａ）のｂ−ｂ線に沿って見た前記白鍵の端面図であり、（Ｃ）は（Ａ）のｃ−ｃ線に沿って見た前記白鍵の端面図である。
【図４】（Ａ）は第３実施形態に係る白鍵の平面図であり、（Ｂ）は（Ａ）のｂ−ｂ線に沿って見た前記白鍵の端面図であり、（Ｃ）は（Ａ）のｃ−ｃ線に沿って見た前記白鍵の端面図であり、（Ｄ）は第３実施形態の変形例に係る白鍵の平面図である。
【図５】（Ａ）は第４実施形態に係る白鍵の平面図であり、（Ｂ）は（Ａ）のｂ−ｂ線に沿って見た前記白鍵の端面図であり、（Ｃ）は（Ａ）のｃ−ｃ線に沿って見た前記白鍵の端面図であり、（Ｄ）は第４実施形態の変形例に係る白鍵の平面図である。
【発明を実施するための形態】
【００１４】
ａ．鍵盤楽器における鍵盤の構成
まず、鍵盤楽器における鍵盤の構成について図面を用いて説明しておく。図１は、鍵盤における１オクターブ分の鍵の配置を示す平面図である。なお、本明細書においては、図１の左右方向を鍵盤の左右方向（横方向）とし、図１の下側を鍵盤の前部側とし、図１の上側を鍵盤の後部側とする。
【００１５】
鍵盤は、Ｃ，Ｄ，Ｅ，Ｆ，Ｇ，Ａ，Ｂ音にそれぞれ対応した７つの白鍵１０と、Ｃ＃，Ｄ＃，Ｆ＃，Ｇ＃，Ａ＃音にそれぞれ対応した５つの黒鍵２０を横方向に配列させている。Ｃ，Ｄ音に対応した隣合う２つの白鍵１０の間には、Ｃ＃音に対応した黒鍵２０が配置されている。Ｄ，Ｅ音に対応した隣合う２つの白鍵１０の間には、Ｄ＃音に対応した黒鍵２０が配置されている。Ｆ，Ｇ音に対応した隣合う２つの白鍵１０の間には、Ｆ＃音に対応した黒鍵２０が配置されている。Ｇ，Ａ音に対応した隣合う２つの白鍵１０の間には、Ｇ＃音に対応した黒鍵２０が配置されている。Ａ，Ｂ音に対応した隣合う２つの白鍵１０の間には、Ａ＃音に対応した黒鍵２０が配置されている。
【００１６】
白鍵１０は、詳しくは後述する上壁、左右側壁及び前壁からなり、下方を開放させた縦断面コ字状に形成されている。黒鍵２０も、上壁、左右側壁及び前壁からなり、下方を開放させた縦断面コ字状に形成されている。黒鍵２０は、前後方向において同一の横幅を有して、前後方向に長尺に延設されている。白鍵１０は、黒鍵２０の前端よりも僅かに前方の位置にて段部を有し、段部よりも後部側を所定の狭い横幅の幅狭部１１とするとともに、段部よりも前側部を幅狭部の横幅よりも広い横幅を有する幅広部１２としている。全ての白鍵１０の幅狭部１１の横幅は同じであり、全ての黒鍵２０の横幅とほぼ同じである。全ての白鍵１０の幅広部１２の横幅は同じである。なお、全ての白鍵１０の幅狭部１１の横幅は同じでなく、白鍵１０の種類によって多少異なっていてもよい。
【００１７】
そして、Ｃ，Ｆ音に対応した２つの白鍵１０においては、その左側壁が前後方向に直線で延びており、その右側壁には大きな段部が設けられている。Ｅ，Ｂ音に対応した２つの白鍵１０においては、その右側壁が前後方向に直線で延びており、その左側壁には大きな段部が設けられている。Ｄ，Ｇ，Ａに対応した３つの白鍵１０においては、その左右側壁の両方に比較的小さな段部が設けられている。したがって、Ｃ，Ｅ，Ｆ，Ｂ音に対応した４つの白鍵１０においては、幅狭部の幅方向の中心線Ｌｃの左右両側部分の一方側の部分は他方側の部分に比べて上壁の上面部分の面積が広くなっており、左右両側部分の重量が大きく異なる。また、Ｄ，Ｇ，Ａ音に対応した３つの白鍵１０においては、左右両側の段部の横幅が異なるので、幅狭部の幅方向の中心線Ｌｃの左右両側部分の一方側の部分は他方側の部分に比べて上壁の上面部分の面積が広くなっており、左右両側部分の重量が異なる。ただし、左右両側の段部の横幅の差は比較的小さいので、左右両側部分の重量の差はあまり大きくない。
【００１８】
このように構成された白鍵１０及び黒鍵２０は、左右側壁の後端部にて、図示しない鍵フレームに設けた鍵支持部により、前端部が上下方向に変位するように揺動可能に支持されている。鍵支持部は、白鍵１０及び黒鍵２０の内側にて対向する位置にて立設された一対の板状部材と、一対の板状部材の外側に突出した突起をそれぞれ有する。そして、白鍵１０及び黒鍵２０は、それらの後端部の左右側壁に設けた貫通孔に、前記突起を内側から外側に摺動可能に貫通させている。また、白鍵１０及び黒鍵２０の下面と鍵フレームとの間にはスプリングが組み込まれて、白鍵１０及び黒鍵２０の前端部は上方に付勢されている。白鍵１０及び黒鍵２０の前端部の上下方向の変位は、鍵フレームに設けたストッパ部材により規制されている。したがって、白鍵１０及び黒鍵２０は、押離鍵操作により、前端部を前記規制の範囲内で上下方向に変位させる。また、白鍵１０及び黒鍵２０の下方には、鍵フレーム上に鍵ガイド部材が設けられて、白鍵１０及び黒鍵２０の押離鍵操作時には、鍵ガイド部材が白鍵１０及び黒鍵２０の一部に摺動して白鍵１０及び黒鍵２０の上下動がガイドされるようになっている。この鍵ガイド部材により、押離鍵操作時における白鍵１０及び黒鍵２０の左右方向への変位が規制される。
【００１９】
ｂ．第１実施形態
次に、本発明の第１実施形態に係る白鍵について、図２を用いて説明する。図２（Ａ）は、中心線Ｌｃの左右両側部分の重量差が大きなＣ，Ｆ音に対応した白鍵１０の平面図である。図２（Ｂ）は図２（Ａ）のｂ−ｂ線に沿って見た端面図であり、図２（Ｃ）は図２（Ａ）のｃ−ｃ線に沿って見た端面図である。
【００２０】
白鍵１０は、上壁１４、左側壁１５、右側壁１６及び前壁１７を備え、下方を開放させた方形状の内部空間を有する。これらの上壁１４、左側壁１５、右側壁１６及び前壁１７は、樹脂により平板状に一体成形されている。左側壁１５及び右側壁１６の後端部分には、鍵フレームに設けた鍵支持部の突起を貫通させる貫通孔１５ａ，１６ａがそれぞれ設けられている。また、この白鍵１０においては、右側壁１６に段部１６ｂが形成され、段部１６ｂよりも後方部分を幅狭部１１とし、段部１６ｂよりも前方部分を幅広部１２としている。
【００２１】
左側壁１５、右側壁１６及び前壁１７の厚さは均一で全て同じであるが、上壁１４の厚さは左右方向において異なる。具体的には、上壁１４の左端の厚さを左側壁１５、右側壁１６及び前壁１７の厚さと同じにし、上壁１４の前後方向の全ての範囲すなわち上壁１４の前端から後端までに渡って、上壁１４の内側面１４ａを右側に向かって階段状に減肉して、上壁１４の厚さを左から右に向かって階段状に薄くしている。なお、上壁１４の上面は平面であり、上壁１４の左右方向の同一位置の厚さは同じである。これにより、上壁１４の左右方向に沿った各位置の重量は、左から右に向かって徐々に小さくなる。
【００２２】
また、前記上壁１４に代えて、図２（Ｂ）（Ｃ）に点線Ｘで示すように、上壁１４の右端（幅広部１２の右端）の厚さを左側壁１５、右側壁１６及び前壁１７の厚さと同じにし、上壁１４の前後方向の全ての範囲すなわち上壁１４の前端から後端までに渡って、上壁１４の内側面１４ａを左側に向かって階段状に増肉して、上壁１４の厚さを右から左に向かって階段状に厚くしてもよい。これによっても、上壁１４の左右方向に沿った各位置の重量は、左から右に向かって徐々に小さくなる。
【００２３】
また、前述のように、上壁１４の左端又は右端の厚さを左側壁１５、右側壁１６及び前壁１７の厚さと同じにしなくても、上壁１４の左右方向に沿った各位置の重量が左から右に向かって徐々に小さくなる構成であれば、上壁１４の左端又は右端の厚さには制限なく、上壁１４の左端又は右端の厚さを左側壁１５、右側壁１６及び前壁１７の厚さよりも小さくしても、大きくしてもよい。また、上壁１４の階段状の厚さの変更においては、段数を適宜設定すればよく、段数には制限がない。特に、段数を２段にして、中心線Ｌｃに対して、左側部分を右側部分に比べて単に厚く構成するようにしてもよい。さらに、上壁１４を階段状に厚さを変更するのではなく、上壁１４の内側面１４ａを左右方向において連続的に傾斜させて、中心線Ｌｃに対して、左側部分を右側部分に比べて厚く構成するようにしてもよい。
【００２４】
そして、このような上壁１４の左右方向位置における厚さを異ならせることにおいては、白鍵１０における中心線Ｌｃの左側部分の重量と中心線Ｌｃの右側部分の重量とが一致するように、上壁１４の厚さを左右方向位置において異ならせる。したがって、前記のような白鍵１０においては中心線Ｌｃに対する左右の荷重バランスが一致するように調整されているので、白鍵１０が押離鍵操作された際には、白鍵１０の振動が抑制されて、白鍵１０の押離鍵操作時に、白鍵１０の鍵ガイド、隣接した他の白鍵１０及び黒鍵２０などへの接触及び衝突が抑制され、雑音が発生しなくなる。なお、白鍵１０における中心線Ｌｃの左側部分の重量と中心線Ｌｃの右側部分の重量とが一致していることが好ましいが、前記両重量は厳密に一致していなくてもほぼ一致していれば、前記効果は期待される。言い換えれば、白鍵１０の中心線Ｌｃに対する左右の荷重バランスが一致又はほぼ一致するように調整されていればよい。この点に関しては、後述する「重量の一致」及び「左右の荷重バランスの調整」においても同様である。
【００２５】
前記第１実施形態及びその変形例では、上壁１４の前後方向の全ての範囲に渡って上壁１４の左右方向位置における厚さを異ならせるようにしたが、上壁１４の前後方向における一部においてのみ上壁１４の左右方向位置における厚さを異ならせて、上壁１４の前後方向における他の部分においては、上壁１４の左右方向位置における厚さを一定にしてもよい。この一定の厚さは、例えば、左側壁１５、右側壁１６及び前壁１７の厚さと同じである。特に、幅狭部１１において上壁１４の左右方向位置の厚さを一定にして、幅広部１２のみにおいて、上壁１４の左右方向位置の厚さを異ならせて、白鍵１０における中心線Ｌｃの左側部分の重量と中心線Ｌｃの右側部分の重量とを一致又はほぼ一致させるようにしてもよい。この場合も、幅広部１２の前後方向における全ての範囲ではなく、一部の範囲のみにおいて、上壁１４の左右方向位置の厚さを異ならせるようにしてもよい。
【００２６】
前記のように幅広部１２のみにおいて上壁１４の左右方向位置の厚さを異ならせた場合には、次のような効果も期待される。白鍵１０においては、幅狭部１１の後端部の支点位置から離れた位置において、白鍵１０における中心線Ｌｃの左右両側部分の重量に差があるほど、押離鍵操作時における振動が起こり易く、また白鍵１０に捩れが発生し易い。したがって、幅広部１２のみにおいて上壁１４の左右方向位置の厚さを異ならせて、白鍵１０における中心線Ｌｃの左側部分の重量と中心線Ｌｃの右側部分の重量とを一致又はほぼ一致させることにより、中心線Ｌｃに対する白鍵１０の左右の荷重バランスを一致又はほぼ一致させるように調整すると、白鍵１０の振動がさらに抑えられるようになるとともに、白鍵１０の捩れも抑制される。
【００２７】
ｃ．第２実施形態
次に、本発明の第２実施形態に係る白鍵について、図３を用いて説明する。図３（Ａ）は、上記第１実施形態の場合と同様に、Ｃ，Ｆ音に対応した白鍵１０の平面図である。図３（Ｂ）は図３（Ａ）のｂ−ｂ線に沿って見た端面図であり、図３（Ｃ）は図３（Ａ）のｃ−ｃ線に沿って見た端面図である。第２実施形態に係る白鍵１０は、上壁１４、左側壁１５及び右側壁１６の厚さが上記第１実施形態の場合と異なるのみで、他の構成に関しては上記第１実施形態の白鍵１０と同じであるので、上記第１実施形態と同じ符号を付して同一部分の説明を省略する。
【００２８】
この第２実施形態では、上壁１４及び前壁１７の厚さは均一で全て同じであるが、左側壁１５の厚さと右側壁１６の厚さとが異なる。具体的には、左側壁１５の厚さを上壁１４及び前壁１７の厚さと同じにしている。そして、右側壁１６の前後方向の全ての範囲すなわち右側壁１６の前端から後端までに渡って、右側壁１６の内側面を減肉して、右側壁１６の厚さを左側壁１５の厚さよりも小さくしている。なお、左側壁１５及び右側壁１６の厚さはそれぞれ均一である。これにより、左側壁１５の重量は、右側壁１６の重量よりも大きくなる。
【００２９】
また、前記左側壁１５及び右側壁１６に代えて、図３（Ｂ）（Ｃ）に点線Ｘで示すように、左側壁１５の前後方向の全ての範囲すなわち左側壁１５の前端から後端までに渡って、左側壁１５の内側面を増肉して、左側壁１５の厚さを右側壁１６の厚さよりも大きくしてもよい。右側壁１６の厚さは、上壁１４及び前壁１７の厚さと同じである。なお、この場合も、左側壁１５及び右側壁１６の厚さはそれぞれ均一である。これによっても、左側壁１５の重量は、右側壁１６の重量よりも大きい。
【００３０】
また、前記実施形態では、左側壁１５の厚さを上壁１４及び前壁１７の厚さと同じにするか、又は右側壁１６の厚さを上壁１４及び前壁１７の厚さと同じにしている。しかし、左側壁１５及び右側壁１６の厚さに関しては、左側壁１５の厚さが右側壁１６の厚さよりも大きければ、左側壁１５又は右側壁１６の厚さを上壁１４及び前壁１７の厚さと同じにしなくてもよい。
【００３１】
そして、このような左側壁１５の厚さと右側壁１６の厚さの設定においては、白鍵１０における中心線Ｌｃの左側部分の重量と中心線Ｌｃの右側部分の重量とが一致又はほぼ一致するように、左側壁１５の厚さと右側壁１６の厚さを異ならせればよい。したがって、この白鍵１０においても中心線Ｌｃに対する左右の荷重バランスが一致又はほぼ一致するように調整されているので、白鍵１０が押離鍵操作された際には、白鍵１０の振動が抑制されて、白鍵１０の押離鍵操作時に、白鍵１０の鍵ガイド、隣接した他の白鍵１０及び黒鍵２０などへの接触及び衝突が抑制され、雑音が発生しなくなる。
【００３２】
前記第２実施形態及びその変形例では、左側壁１５及び右側壁１６の前後方向の全ての範囲に渡って、左側壁１５の全ての厚さと右側壁１６の全ての厚さを異ならせるようにしたが、左側壁１５及び右側壁１６の前後方向における一部においてのみ、左側壁１５の厚さと右側壁１６の厚さとを異ならせて、左側壁１５及び右側壁１６の前後方向における他の部分の厚さを上壁１４及び前壁１７の厚さと同じにするようにしてもよい。特に、幅狭部１１において左側壁１５の厚さと右側壁１６の厚さを同じにして、幅広部１２のみにおいて左側壁１５の厚さと右側壁１６の厚さを異ならせるようにして、白鍵１０における中心線Ｌｃの左側部分の重量と中心線Ｌｃの右側部分の重量とを一致又はほぼ一致させるようにしてもよい。この場合も、幅広部１２の前後方向における全ての範囲ではなく、一部の範囲のみにおいて、左側壁１５の厚さと右側壁１６の厚さとを異ならせるようにしてもよい。
【００３３】
前記のように幅広部１２のみにおいて左側壁１５の厚さと右側壁１６の厚さとを異ならせた場合には、上記第１実施形態の変形例で説明した理由により、白鍵１０の振動がさらに抑えられるようになるとともに、白鍵１０の捩れも抑制される。
ｄ．第３実施形態
次に、本発明の第３実施形態に係る白鍵について、図４を用いて説明する。図４（Ａ）は、上記第１及び第２実施形態の場合と同様に、Ｃ，Ｆ音に対応した白鍵１０の平面図である。図４（Ｂ）は図４（Ａ）のｂ−ｂ線に沿って見た端面図であり、図４（Ｃ）は図４（Ａ）のｃ−ｃ線に沿って見た端面図である。第３実施形態に係る白鍵１０も、基本的には上記第１及び第２実施形態の白鍵１０の構成とほぼ同じであるので、上記第１及び第２実施形態と同じ符号を付して同一部分の説明を省略する。
【００３４】
この第３実施形態では、上壁１４、左側壁１５、右側壁１６及び前壁１７の厚さは均一で全て同じである。上壁１４の前後方向の全ての範囲すなわち上壁１４の前端から後端までに渡って、上壁１４の内側面１４ａの左側端部（中心線Ｌｃよりも左側位置）に、前後方向に長尺の錘３１が接着剤により貼り付けられて固定されている。この錘３１は、例えば薄い金属膜で構成されている。
【００３５】
そして、錘３１の重量の設定においては、白鍵１０における中心線Ｌｃの左側部分の重量と中心線Ｌｃの右側部分の重量とが一致又はほぼ一致するようにする。したがって、この白鍵１０においても中心線Ｌｃに対する左右の荷重バランスが一致又はほぼ一致するように調整されているので、白鍵１０が押離鍵操作された際には、白鍵１０の振動が抑制されて、白鍵１０の押離鍵操作時に、白鍵１０の鍵ガイド、隣接した白鍵１０及び黒鍵２０などへの接触及び衝突が抑制され、雑音が発生しなくなる。
【００３６】
前記第３実施形態では、上壁１４の内側面１４ａに、上壁１４の前後方向の全ての範囲に渡って連続的に錘３１が固定されるようにした。しかし、これに代えて、図４（Ｄ）に示すように、上壁１４の内側面１４ａの左側端部（中心線Ｌｃよりも左側位置）であって、上壁１４の前後方向における一部の範囲のみに、錘３２又は錘３３を貼り付けて固定するようにしてもよい。この場合も、白鍵１０における中心線Ｌｃの左側部分の重量と中心線Ｌｃの右側部分の重量とを一致又はほぼ一致させる必要があるので、錘３２又は錘３３としては前記第３実施形態の錘３１よりも厚肉の金属部材を用いるようにする。そして、幅広部１２における前後方向の全ての範囲又はその一部のみにおいて、上壁１４の内側面１４ａの左側端部に錘３３を設けた場合には、上記第１実施形態の変形例で説明した理由により、白鍵１０の振動がさらに抑えられるようになるとともに、白鍵１０の捩れも抑制される。
【００３７】
前記第３実施形態及びその変形例においては、錘３１，３２，３３を上壁１４の内側面１４ａの左側端部に貼り付けて固定するようにした。しかし、錘３１，３２，３３は上壁１４の内側面１４ａの左側端部に固定されればよく、上壁１４の内側面１４ａに突起を設けるとともに錘３１，３２，３３に孔を設けて、前記突起を前記孔に嵌め合わせて錘３１，３２，３３を上壁１４の内側面１４ａの左側端部に固定してもよい。また、逆に、上壁１４に孔を設けるとともに錘３１，３２，３３に突起を設けて、前記突起を前記孔に嵌め合わせて錘３１，３２，３３を上壁１４の内側面１４ａの左側端部に固定してもよい。さらには、ねじなどの固定部材により、錘３１，３２，３３を上壁１４の内側面１４ａの左側端部に固定してもよい。
【００３８】
ｅ．第４実施形態
次に、本発明の第４実施形態に係る白鍵について、図５を用いて説明する。図５（Ａ）は、上記第１乃至第３実施形態の場合と同様に、Ｃ，Ｆ音に対応した白鍵１０の平面図である。図５（Ｂ）は図５（Ａ）のｂ−ｂ線に沿って見た端面図であり、図５（Ｃ）は図５（Ａ）のｃ−ｃ線に沿って見た端面図である。第３実施形態に係る白鍵１０も、基本的には上記第１及び第２実施形態の白鍵１０の構成とほぼ同じであるので、上記第１及び第２実施形態と同じ符号を付して同一部分の説明を省略する。
【００３９】
この第４実施形態でも、上記第３実施形態の場合と同様に、上壁１４、左側壁１５、右側壁１６及び前壁１７の厚さは均一で全て同じである。そして、前記第３実施形態の錘３１は上壁１４の内側面１４ａの左側端部に設けられているのに対して、この第４実施形態では、左側壁１５の前後方向の全ての範囲すなわち左側壁１５の前端から後端までに渡って、左側壁１５の内側面１５ｂに、前後方向に長尺の錘３４が接着剤により貼り付けられて固定されている。この錘３４も、上記第３実施形態の場合と同様に、例えば薄い金属膜で構成されている。
【００４０】
そして、錘３４の重量の設定においては、この場合も、白鍵１０における中心線Ｌｃの左側部分の重量と中心線Ｌｃの右側部分の重量とが一致又はほぼ一致するようにすればよい。したがって、この白鍵１０においても中心線Ｌｃに対する左右の荷重バランスが一致又はほぼ一致するように調整されているので、白鍵１０が押離鍵操作された際には、白鍵１０の振動が抑制されて、白鍵１０の押離鍵操作時に、白鍵１０の鍵ガイド、隣接した白鍵１０及び黒鍵２０などへの接触及び衝突が抑制され、雑音が発生しなくなる。
【００４１】
前記第４実施形態では、左側壁１５の前後方向の全ての範囲に渡って連続的に錘３４が固定されるようにした。しかし、これに代えて、図５（Ｄ）に示すように、左側壁１５の内側面１５ｂであって、左側壁１５の前後方向における一部の範囲のみに、錘３５又は錘３６を設けるようにしてもよい。この場合も、白鍵１０における中心線Ｌｃの左側部分の重量と中心線Ｌｃの右側部分の重量とを一致又はほぼ一致させる必要があるので、錘３５又は錘３６としては前記第４実施形態の錘３４よりも厚肉の金属部材を用いるようにする。そして、幅広部１２における前後方向の全ての範囲又は一部においてのみ、左側壁１５の内側面１５ｂに錘３６を設けた場合には、上記第１実施形態の変形例で説明した理由により、白鍵１０の振動がさらに抑えられるようになるとともに、白鍵１０の捩れも抑制される。
【００４２】
前記第４実施形態及びその変形例においては、錘３４，３５，３６を左側壁１５の内側面１５ｂに貼り付けて固定するようにした。しかし、この場合も、錘３４，３５，３６は左側壁１５の内側面１５ｂに固定されればよく、左側壁１５の内側面１５ｂに突起を設けるとともに錘３４，３５，３６に孔を設けて、前記突起を前記孔に嵌め合わせて錘３４，３５，３６を左側壁１５の内側面１５ｂに固定してもよい。また、逆に、左側壁１５に孔を設けるとともに錘３４，３５，３６に突起を設けて、前記突起を前記孔に嵌め合わせて錘３４，３５，３６を左側壁１５の内側面１５ｂに固定してもよい。さらには、ねじなどの固定部材により、錘３４，３５，３６を左側壁１５の内側面１５ｂに固定してもよい。
【００４３】
ｆ．その他の変形例
なお、本発明に係る鍵盤装置の白鍵は、上記第１乃至第４実施形態及びそれらの変形例に限定されるものではなく、適宜変更して実施することが可能である。
【００４４】
上記第１乃至第４実施形態においては、白鍵１０における中心線Ｌｃの左右両側部分の重量差が大きなＣ，Ｆ音に対応した白鍵１０に本発明を適用した例について説明した。しかし、本発明は、中心線Ｌｃの左右両側部分の重量差が大きなＥ，Ｂに対応した白鍵１０にも適用される。この場合、白鍵１０における中心線Ｌｃに対して左側部分の重量が中心線Ｌｃに対して右側部分の重量よりも大きいので、上記第１実施形態及びその変形例の場合には、中心線Ｌｃよりも右側部分の上壁１４の厚さが中心線Ｌｃよりも左側部分の厚さに比べて大きくなるように、上壁１４の全ての部分又は一部の部分の厚さを異ならせる。また、上記第２実施形態及びその変形例の場合には、右側壁１６の全て部分又は一部の部分の厚さを左側壁１５の厚さよりも大きくする。上記第３実施形態及びその変形例の場合には、上壁１４の内側面１４ａの右側端部（中心線Ｌｃよりも右側位置）の全ての部分または一部の部分に錘３１，３２，３３を固定するようにする。上記第４実施形態及びその変形例の場合には、右側壁１６の内側面の全ての部分または一部の部分に錘３４，３５，３６を固定するようにする。
【００４５】
また、本発明は、中心線Ｌｃの左右両側部分の重量差がそれ程大きくないＤ，Ｇ，Ａ音に対応した白鍵１０にも適用される。これらの白鍵１０の場合も、中心線Ｌｃに対して左右両側の部分の重量が同じ又はほぼ同じになるように、上壁１４の厚さを左右方向位置において異ならせたり、左側壁１５及び右側壁１６の厚さを異ならせたり、上壁１４の内側面１４ａに錘３１，３２，３３を固定したり、左側壁１５又は右側壁１６の内側面１５ｂに錘３３，３４，３５を固定したりする。ただし、この場合には、白鍵１０における中心線Ｌｃの左右両側部分の重量差がそれ程大きくないので、上壁１４の左右方向位置において厚さを異ならせる量、左側壁１５と右側壁１６の厚さの差、錘３１，３２，３３又は錘３３，３４，３５の重量を、Ｃ，Ｅ，Ｆ，Ｂ音の場合に比べて小さくする。
【００４６】
また、上記第１実施形態及びその変形例においては、上壁１４の左右方向位置における厚さを異ならせることにより、白鍵１０において中心線Ｌｃに対する左右の荷重バランスを一致又はほぼ一致させるように調整した。また、上記第２実施形態及びその変形例においては、左側壁１５と右側壁１６との間に重量差を設けることにより、白鍵１０において中心線Ｌｃに対する左右の荷重バランスを一致又はほぼ一致させるように調整した。また、上記第３実施形態及びその変形例においては、上壁１４の内側面１４ａに錘３１，３２，３３を固定することにより、白鍵１０において中心線Ｌｃに対する左右の荷重バランスを一致又はほぼ一致させるように調整した。また、上記第４実施形態及びその変形例においては、左側壁１５の内側面１５ｂに錘３４，３５，３６を固定することにより、白鍵１０において中心線Ｌｃに対する左右の荷重バランスを一致又はほぼ一致させるように調整した。しかし、上記第１乃至第４実施形態に関する前記技術のうちの２つ以上の技術を組み合わせて、白鍵１０を構成するようにしてもよい。
【００４７】
上記第１乃至第４実施形態及びそれらの変形例においては、左側壁１５及び右側壁１６の後端部に設けた貫通孔１５ａ，１６ａに鍵支持部の突起を貫通させて、白鍵１０を揺動可能に鍵フレームに支持させた鍵盤について説明した。なお、黒鍵２０に関しても、この揺動可能な支持については同じである。しかし、本発明は、ヒンジにより白鍵１０及び黒鍵２０を揺動可能に支持する鍵盤装置にも適用され得る。具体的には、白鍵１０及び黒鍵２０の後端面に、薄肉かつ平板状に形成されて弾性変形するヒンジを白鍵１０及び黒鍵２０と一体的に樹脂成型する。そして、ヒンジの後端を鍵フレームに支持させる。
【００４８】
この場合、白鍵１０及び黒鍵２０からなる鍵盤を次のように構成するとよい。Ｃ，Ｅ，Ｇ，Ｂ音にそれぞれ対応して互いに隣接していない４つの白鍵１０を一体形成した第１鍵ユニットを用意する。また、Ｄ，Ｆ，Ａ音にそれぞれ対応して互いに隣接していない３つの白鍵１０を一体形成した第２鍵ユニットを用意する。さらに、Ｃ＃，Ｄ＃，Ｆ＃，Ｇ＃，Ａ＃音にそれぞれ対応して互いに隣接していない５つの黒鍵２０を一体形成した第３鍵ユニットを用意する。これらの第１乃至第３鍵ユニットにおいては、白鍵１０及び黒鍵２０の各鍵ごとにヒンジを後方にそれぞれ延設させ、各ヒンジの後端を鍵ユニットごとに横方向に延設された連結部で接続する。そして、鍵フレームに設けた横方向に延設された支持部上に各鍵ユニットの連結部を重ねた後、ねじなどにより、第１乃至第３鍵ユニットを鍵フレームに固定する。これによれば、本発明が適用された白鍵１０を鍵フレームに簡単に組み付けることができる。
【符号の説明】
【００４９】
１０…白鍵、１１…幅狭部、１２…幅広部、１４…上壁、１４ａ…内側面、１５…左側壁、１５ａ…貫通孔、１５ｂ…内側面、１６…右側壁、１６ａ…貫通孔、１６ｂ…段部、１７…前壁、２０…黒鍵、３１〜３６…錘
【図１】
0006467851.tif 000002
【図２】
0006467851.tif 000003
【図３】
0006467851.tif 000004
【図４】
0006467851.tif 000005
【図５】
0006467851.tif 000006